(57)【要約】【課題】人の足の裏から振動を与えることにより、血流の循環を活性化して疲労回復を図るなど健康の促進を効果的に行い、また、老人などのリハビリテーションのためにも用いること。【解決手段】ユーザが足の裏を乗せることが可能なように床面に設置され、上下方向に振幅を有するよう振動する振動発生装置３と、振動発生装置３の周辺に設置され、振動発生装置３の台座１３の上に乗ったユーザが捕まることのできる手摺り５とを有してなる。【選択図】      図１
2006020651.tif 000002
【特許請求の範囲】
【請求項１】
ユーザが足の裏を乗せることが可能なように床面に設置され、上下方向に振幅を有するよう振動する振動発生装置と、
前記振動発生装置の周辺に設置され、前記振動発生装置の上に乗ったユーザが捕まることのできる手摺りと、
を有してなることを特徴とする健康促進装置。
【請求項２】
前記振動発生装置は、ユーザの両方の足の裏を乗せることのできる台座を有し、前記台座が振動するように構成される、
請求項１記載の健康促進装置。
【請求項３】
前記台座は、右足用の台座と左足用の台座とが別個に設けられ、これらが互いに独立して振動するように構成される、
請求項２記載の健康促進装置。
【請求項４】
前記振動発生装置は、
モータと、
前記モータの回転軸に取り付けられた偏心錘と、
前記モータの上部に設けられた台座と、
前記モータを床面に対して支持するサスペンション部材と、
を有してなる請求項１記載の健康促進装置。
【請求項５】
モータと、
前記モータの回転軸に取り付けられた偏心錘と、
前記モータの上部に設けられた台座と、
前記モータを床面に対して支持するサスペンション部材と、
を有してなる健康促進のための振動発生装置。
【請求項６】
前記台座は、ユーザの両方の足の裏を乗せることのできる形状である、
請求項５記載の健康促進のための振動発生装置
【発明の詳細な説明】
【０００１】
【発明の属する技術分野】
本発明は、足の裏から振動を与えて健康を促進する装置に関する。
【０００２】
【従来の技術】
日常生活習慣の中で、現代病とまでいわれているストレスの増大が問題となっている。また、健康志向の高まりに加え、「人にやさしい」をテーマにした機能性の追求が盛んになっている。生活環境での健常者であっても、身体機能の低下に対応した代謝による「リフレッシュ」および「癒し」系の身心両面の包括的ノーマライゼーションという視点での意識が高まってきている。これらに対応して、近年のメディカル・コンセプトの訴求による「コリをほぐす」「ツボを刺激する」などの、病状疾患改善や疲労回復を図るための健康促進装置が提案されている。
【０００３】
【発明が解決しようとする課題】
しかし、従来の健康促進装置では、生理代謝に適合する生体力学的刺激論から推論可能な効果改善のプロセスにおいて充分ではない。専門的医学的根拠に立脚したマッサージ師による処置であっても、生体代謝論に基づく交換、復交感の受容において、活性に律する能動反応の残渣は処置後３０分以内に自律代謝の作用で元に戻るとされている。つまり、従来の健康促進装置による処置は、「やらないよりは」「気分的によい気持ち」などのリラックス程度のためのものといえよう。
【０００４】
本発明は、人の足の裏から振動を与えることにより、血流の循環を活性化して疲労回復を図るなど健康の促進を効果的に行い、また、老人などのリハビリテーションのためにも用いることのできる健康促進装置を提供することを目的とする。
【０００５】
【課題を解決するための手段】
本発明に係る健康促進装置は、ユーザが足の裏を乗せることが可能なように床面に設置され、上下方向に振幅を有するよう振動する振動発生装置と、前記振動発生装置の周辺に設置され、前記振動発生装置の上に乗ったユーザが捕まることのできる手摺りとを有してなる。
【０００６】
好ましくは、前記振動発生装置は、ユーザの両方の足の裏を乗せることのできる台座を有し、前記台座が振動するように構成する。
また、前記台座は、右足用の台座と左足用の台座とが別個に設けられ、これらが互いに独立して振動するように構成する。
【０００７】
また、前記振動発生装置は、モータと、前記モータの回転軸に取り付けられた偏心錘と、前記モータの上部に設けられた台座と、前記モータを床面に対して支持するサスペンション部材とを有してなる。
【０００８】
【発明の実施の形態】
図１は本発明の実施形態に係る健康促進装置１の構成を示す図、図２は振動発生装置３の構造の例を示す図、図３はモータ１１の構成の例を示す外観図である。
【０００９】
これらの図において、健康促進装置１は振動発生装置３および手摺り５からなる。
振動発生装置３は、ユーザＨＭが足の裏を乗せることが可能なように床面（構造物）に設置される。振動発生装置３は、モータ１１、偏心錘１２、台座１３、およびサスペンション部材１４などからなる。
【００１０】
モータ１１は、本体１１１、両端に突出する回転軸１１２、および取り付け脚部１１３などからなる。モータ１１として、ＤＣモータ、ＤＣステッピングモータ、同期モータ、ＡＣモータなどが用いられ、それぞれに応じた適当な制御装置によって、電流制御、電圧制御、電力制御、位相制御、インバータ制御、回転速度制御、ＰＷＭ制御などが行われる。モータ１１は、例えば、０〜１８００ＲＰＭで回転する。
【００１１】
偏心錘１２は、回転軸１１１の両端に、互いに同じ角度位置となるようにそれぞれ取り付けられる。偏心錘１２は、回転軸１１１の回転によってモータ１１の全体に振動を発生させる。
【００１２】
台座１３は、モータ１１の本体１１１の上部に取り付けられる。台座１３は、合成樹脂または金属板などからなる上板１３１、および上板１３１を支持するキール骨格部材１３２からなる。上板１３１の上面にユーザＨＭが足ＨＭａを乗せることができる。
【００１３】
サスペンション部材１４は、モータ１１を上下方向（垂直方向）に振動可能なように支持する。サスペンション部材１４は、櫛状の下側嵌合部材１４１と上側嵌合部材１４２とが組み合わさり、その内部にダンパー部材１４３が充填される。下側嵌合部材１４１は、固定台１４４によって建物（床面）などに固定される。上側嵌合部材１４２は、下側嵌合部材１４１に対して上下方向に移動可能であり、前後方向（左右方向）には振動を吸収しつつ、若干の移動が可能である。これによって、モータ１１が回転したときに、前後方向には微少な振幅を持ち、上下方向に大きい振幅を持って振動する。このとき、台座１３は、上下方向と前後方向とに移動することとなり、偏平ではあるが回転運動を行う。
【００１４】
手摺り５は、起立姿勢または直立姿勢で使用する起立手摺り５１と、しゃがんだ姿勢または屈んだ姿勢で使用するしゃがみ手摺り５２とを有する。
起立手摺り５１は、振動発生装置３の上方の両側に設けられた手摺り部材５１１，５１２からなる。手摺り部材５１１，５１２は、ユーザＨＭが台座１３の上に立った姿勢で、両手で掴むことが可能な位置に設けられる。
【００１５】
しゃがみ手摺り５２は、振動発生装置３の前方に設けられ、高さの異なる複数のバー５２１，５２２，５２３を有する。これらのバー５２１〜５２３は、ユーザＨＭが台座１３の上にしゃがんだ姿勢で乗ったときに、両手を前方に出して掴むことが可能な位置に設けられる。
【００１６】
ユーザＨＭは、これら起立手摺り５１またはしゃがみ手摺り５２を利用して、前方または後方に体重をかけたり、左足または右足のいずれかに多く体重をかけたりし、台座１３と左右の足ＨＭａとの当接状態を種々調整することができる。また、屈伸運動や背伸び運動など、種々の運動を行うことも可能である。
【００１７】
次に、健康促進装置１の使用方法を説明する。
モータ１１を適当な回転数で回転させると、偏心錘１２が回転し、これによって、モータ１１が上下方向に振動する。ユーザＨＭは、台座１３を介して足ＨＭａから振動を受ける。足ＨＭａにはユーザＨＭの体重がかけられており、体重によって、台座１３の上板１３１に押し付けられる。足ＨＭａには、台座１３の振動による加速度が加えられる。これによって、血流の循環が活性化され、疲労回復が図られ、健康の促進が効果的に行われる。
【００１８】
つまり、ユーザＨＭが、起立姿勢、直立姿勢、しゃがみ姿勢、または屈み姿勢などの体形において、頭と足の垂直軸上で、足の躓先と踵が加振面である上板１３１に自己の体重で接した状態で、土踏まずの部分すなわち下流動脈の端末と上昇流静脈の変流折点より直接足裏を通じて振動が加えられる。これにより、骨格および内臓にも振動が加えられる。歩行直立の等価加荷重の逆刺激として、血流の循環を活性化し、疑似歩行に類する労働や活動の仕事時の姿勢による局部の疲労箇所を刺激する。体力回復に律する準備体操論理に適合した全身被振により、背筋から足元への回復補正が行われる。背筋がしゃんとなり、疲れが和わらげられる。骨格を通じて上へ上へと加振刺激の伝搬によって、内蔵および消化機能の代謝活性が行われる。
【００１９】
本実施形態の健康促進装置１は、老人などのリハビリテーションのため、会社などの集団的な休憩室に設置して疲労回復のため、痩身対応の形姿矯正のためなど、種々の健康の促進のために用いることができる。
【００２０】
次に、他の実施形態の振動発生装置３Ｂについて説明する。
図４は他の実施形態の振動発生装置３Ｂを示す図、図５は振動発生装置３Ｂの台座１３Ｂの平面図である。
【００２１】
図４に示すように、振動発生装置３Ｂは、建物の床面に設けた穴ＨＬ内に設置され、台座１３Ｂの部分が床面から若干突出するように設けられる。台座１３Ｂの前後には、足ＨＭａが下方に落ち込まないように、床板部材２１，２２が設けられる。
【００２２】
振動発生装置３Ｂでは、台座１３Ｂの幅が狭くなっており、足ＨＭａの土踏まずの部分を直接に乗せることができる。足ＨＭａを移動することによって、踵の部分、またはつまさきの部分を乗せることもできる。
【００２３】
この振動発生装置３Ｂによると、足ＨＭａの裏をより直接的に刺激することができる。
図６はさらに他の実施形態の振動発生装置３Ｃの平面図である。
【００２４】
図６に示すように、振動発生装置３Ｃでは、２つの独立した振動発生装置３ＣＡ，３ＣＢが左右に配置される。各振動発生装置３ＣＡ，３ＣＢは、それぞれ台座１３ＣＡ，１３ＣＢを備える。つまり、一方の振動発生装置３ＣＡは右足用であり、他方の振動発生装置３ＣＢは左足用である。
【００２５】
振動発生装置３ＣＡ，３ＣＢは、互いに独立して振動するように制御可能である。例えば、次のような振動モードが設けられる。
（１）  一方の台座１３ＣＡが上方向に移動するときに、他方の台座１３ＣＢが下方に移動するように振動する。このモードは、各モータの偏心錘１２の位置が互いに１８０度ずれた状態で回転することにより可能である。
（２）  一方の台座１３ＣＡが上方向または下方向に振動している間において前方向に移動するときに、他方の台座１３ＣＢが後方に移動するように振動する。つまり、台座１３ＣＡ，１３ＣＢは僅かであるが前後方向にも振動するので、その振動の方向を左右で逆にする。これによって、左右の足ＨＭａに逆方向の回転振動を与えることができる。このモードは、各モータの回転方向を互いに逆にすることにより可能である。
（３）  台座１３ＣＡ，１３ＣＢの互いの振動数を異ならせる。これは、各モータの回転速度を異ならせることにより可能である。
（４）  台座１３ＣＡ，１３ＣＢを同じように振動させる。上に述べた台座１３Ｂの場合と同じ動作となる。
【００２６】
これらの振動モードの設定は、例えば、制御装置の操作盤に設けたモード切替えスイッチの操作により行うことができる。
この振動発生装置３Ｃによると、足ＨＭａの裏をより効果的に刺激することができる。
【００２７】
上に述べた実施形態において、偏心錘１２の大きさ、形状、重量は、適切な振動が得られるように調整すればよい。サスペンション部材１４として、例えば油圧式のショックアブゾーバまたはコイルスプリングを用いまたは併用することができる。上板１３１の上面を適当な曲面、例えば円周面、波打った面などとすることも可能である。適当な凹凸を設けてもよい。
【００２８】
上に説明した振動発生装置３以外の原理で振動を発生する装置を用いてもよい。例えば、ガイド部材によって上下方向にのみ移動可能にガイドされた台座を、クランク機構などによって上下方向に駆動する構成とすることも可能である。
【００２９】
その他、振動発生装置３，３Ｂ，３Ｃ、手摺り５、および健康促進装置１，の全体または各部の構造、形状、寸法、個数、材質などは、本発明の趣旨に沿って適宜変更することができる。
【００３０】
【発明の効果】
本発明によると、人の足の裏から振動を与えることにより、血流の循環を活性化して疲労回復を図るなど健康の促進を効果的に行うことができる。また、老人などのリハビリテーションのためにも用いることができる。
【図面の簡単な説明】
【図１】本発明の実施形態に係る健康促進装置の構成を示す図である。
【図２】振動発生装置の構造の例を示す図である。
【図３】モータの構成の例を示す外観図である。
【図４】他の実施形態の振動発生装置を示す図である。
【図５】振動発生装置の台座の平面図である。
【図６】さらに他の実施形態の振動発生装置の平面図である。
【符号の説明】
１  健康促進装置
３  振動発生装置
５  手摺り
１１  モータ
１２  偏心錘
１３，１３Ｂ  台座
１３ＣＡ，１３ＣＢ  台座
１４  サスペンション部材
ＨＭ  ユーザ
ＨＭａ  足
【図１】
2006020651.tif 000003
【図２】
2006020651.tif 000004
【図３】
2006020651.tif 000005
【図４】
2006020651.tif 000006
【図５】
2006020651.tif 000007
【図６】
2006020651.tif 000008